(57)【特許請求の範囲】
【請求項１】
発呼または着呼がなされた場合に、相手が応答したことを網が検出したことに応じて送信される呼制御信号が到来したときに、呼受付を検出する呼受付検出手段と、
この呼受付検出手段が網による呼の受け付けを検出した場合に、発呼または着呼のカウントを行うカウント手段とを備え、
前記カウント手段は、発呼の場合にはカウント値を減少させ、着呼の場合にはカウント値を増加させることを特徴とする電話装置。
【請求項２】
発呼または着呼がなされた場合に、通話の音声を検出して、呼受付を検出する呼受付検出手段と、
この呼受付検出手段が呼受付を検出した場合に、発呼または着呼のカウントを行うカウント手段とを備え、
前記カウント手段は、発呼の場合にはカウント値を減少させ、着呼の場合にはカウント値を増加させることを特徴とする電話装置。
【発明の詳細な説明】
【０００１】
【発明の属する技術分野】
この発明は、発呼と着呼の回数を適切に把握することの可能な電話装置に関する。
【０００２】
【従来の技術】
従来、電話機においては、電話番号毎に発呼回数をカウントしておき、これを加工して発呼回数ランキングなど表示することが行われている。
【０００３】
【発明が解決しようとする課題】
しかしながら、従来の電話機においては、発呼が成立しなかった場合、つまり、網が発呼の受付けをしなかった場合にも発呼回数のカウントが行われる。例えば、ＰＨＳ端末装置や携帯電話機において、圏外から発呼した場合や、相手が話中でリンク確立ができなかった場合にも発呼回数のカウントが行われ、不適切な発呼の回数を反映するという問題点があった。
【０００４】
本発明は上記のような従来の電話装置が有する問題点を解決せんとしてなされたもので、その目的は、網の状態を反映して発呼または着呼の回数をカウントすることができる電話装置を提供することである。
【０００５】
【課題を解決するための手段】
本発明の請求項１に記載の電話装置は、発呼または着呼がなされた場合に、相手が応答したことを網が検出したことに応じて送信される呼制御信号が到来したときに、呼受付を検出する呼受付検出手段と、この呼受付検出手段が網による呼の受け付けを検出した場合に、発呼または着呼のカウントを行うカウント手段とを備え、前記カウント手段は、発呼の場合にはカウント値を減少させ、着呼の場合にはカウント値を増加させることを特徴とする。これにより、網側から呼制御信号が到来したときに、発呼または着呼のカウントが行われ、発呼の場合にはカウント値が減少され、着呼の場合にはカウント値が増加されることになる。
【０００８】
本発明の請求項２に記載の電話装置では、発呼または着呼がなされた場合に、通話の音声を検出して、呼受付を検出する呼受付検出手段と、この呼受付検出手段が呼受付を検出した場合に、発呼または着呼のカウントを行うカウント手段とを備え、前記カウント手段は、発呼の場合にはカウント値を減少させ、着呼の場合にはカウント値を増加させることを特徴とする。これにより、通話が行われたときに、発呼または着呼のカウントが行われ、発呼の場合にはカウント値が減少され、着呼の場合にはカウント値が増加されることになる。
【００１２】
【発明の実施の形態】
以下添付図面を参照して本発明の実施の形態に係る電話装置を説明する。各図において、同一の構成要素には同一の符号を付して重複する説明を省略する。この例では、ＰＨＳ（パーソナル・ハンディーホン・システム）端末装置を説明するが、本発明はこれに限らず、携帯電話機、有線回線に接続される電子電話機、構内交換機のシステム等として実現可能である。
【００１３】
図１には、本発明の実施の形態に係るＰＨＳ端末装置の構成図が示されている。ＰＨＳ端末装置は、無線部１、モデム部２、ＴＤＭＡ部３、通話部４、制御部５、電源部６を備えている。無線部１にはアンテナ１１が接続され、通話部４にはマイクロホン４４とゲインコントローラ４６とが接続されている。ゲインコントローラ４６には、増幅器４５を介してスピーカ４３が接続されている。また、制御部５には、キー入力部５１、表示部５２、計時回路５３、サウンダ５４、バイブレータユニット５５、ＲＡＭ５６、プログラムＦＲＯＭ５７、録再ＦＲＯＭ５８、ＥＥＰＲＯＭ５９が接続されている。
【００１４】
上記無線部１には、信号を受信しダウンコンバートする受信部１３、信号を送信の周波数へアップコンバートする送信部１５、これら受信部１３及び送信部１５に対しダウンとアップのコンバート用の周波数を与えるシンセサイザ１４、受信部１３と送信部１５を切り換えてアンテナ１１に接続するスイッチ１２、受信電界の強度を検出する受信電界強度検出部１６が設けられている。
【００１５】
モデム部２には、信号を復調する復調部２１と、信号を変調する変調部２２とが設けられている。ＴＤＭＡ部３には、タイムスロットから信号を取り出すＴＤＭＡデコ−ド部３１と、所定のタイムスロットに信号を挿入するＴＤＭＡエンコード部３２とが備えられている。また、通話部４には適応差分によるＰＣＭコード化及びデコードを行う適応差分ＰＣＭコーデック４１、ＰＣＭによるコード化及びデコードを行うＰＣＭコーデック４２が設けられている。
【００１６】
制御部５は、プロセッサ等により構成され、プログラムＦＲＯＭ５７に記憶されているプログラムにより各部を制御する。キー入力部５１は、ダイヤルキーや各種の機能キーを有する。表示部５２は、例えば、ドット表示可能なＬＣＤにより構成されている。計時回路５３は、制御部５が参照する時間を提供する。サウンダ５４は、着信音を発生するために用いられる。バイブレータユニット５５は、振動により着信を知らせる。ＲＡＭ５６は、制御部５がワーキング領域として用いる。プログラムＦＲＯＭ５７は書き換え可能なＲＯＭであり、制御部５が用いるプログラムが記憶されている。録再ＦＲＯＭ５８は書き換え可能なＲＯＭであり、通話時の音声データ等が記憶される。ＥＥＰＲＯＭ５９は、電話帳データや発呼と着呼のカウント値等が記憶される。
【００１７】
電源部６には、二次電池からなるバッテリ６１と、このバッテリ６１の電圧を所定電圧Ｖccとして各部に与える電源回路６２とが備えられている。
【００１８】
以上の構成のＰＨＳ端末装置において、公衆基地局または家庭用基地局から到来する無線周波信号は、アンテナ１１で受信される。受信信号はスイッチ１２を介して受信部１３に到り、シンセサイザ１４から出力される信号とミキシングされてダウンコンバートされる。このとき、シンセサイザ１４の発振周波数は制御部５からの制御により無線チャネル周波数に応じて変更されている。ダウンコンバートされた信号は、復調部２１へ送られてディジタル復調されＴＤＭＡデコード部３１へ送られる。ＴＤＭＡデコード部３１は、制御部５の制御下において、自装置に割り当てられたタイムスロットから信号を取り出し、制御信号の場合は制御部５へ送り、また、通話信号の場合には適応差分ＰＣＭコーデック４１へ送る。適応差分ＰＣＭコーデック４１では、通話信号の適応差分によるＰＣＭデコードが行われ、この信号はＰＣＭコーデック４２においてＰＣＭデコードが行われアナログ信号に変換される。アナログ化された通話信号は、ゲインコントローラ４６、増幅器４５にて増幅されスピーカ４３から音声とされて出力される。
【００１９】
なお、無線部１に設けられている受信電界強度検出部１６は、受信に係る無線周波信号の電界強度を検出し、検出値を制御部５に通知している。
【００２０】
一方、マイクロホン４４から入力された音声は、音声信号とされてＰＣＭコーデック４２及び適応差分ＰＣＭコーデックにより順次にディジタル化され、ＴＤＭＡエンコード部３２へ送られて自装置に割り当てられたタイムスロットに挿入される。この信号は、変調部２２へ送られて変調され、送信部１５へ送られてシンセサイザ１４から出力される信号とミキシングされてアップコンバートされる。送信部１５の出力信号はスイッチ１２を介してアンテナ１１から無線送信される。
【００２１】
また、制御部５が送信する制御信号は、ＴＤＭＡエンコード部３２へ送られて自装置が確保したチャネルのタイムスロットに挿入されて、上記通話信号と同一の経路を介して送信される。
【００２２】
以上のように構成されたＰＨＳ端末装置は、発呼時に図２に示すシーケンスにより発呼動作を行う。この図において、ＰＳは、ＰＨＳ端末装置を示し、ＣＳは、基地局を示す。先ず、キー入力部５１のオフフックボタン等が操作され、オフフックを検出すると、制御部５は制御チャネルを介して基地局へリンクチャネル確立メッセージ１０１を送出する。基地局は、これを受取り、空いているリンク（通話）チャネルを検出して、当該リンクチャネルの割当メッセージ１０２を制御チャネルを介して送ってくる。これに応えて、制御部５は割当てられたリンクチャネルを使用して同期バースト１０３を送信し、同期が確立すると、逆に基地局から同期バースト１０４を送信する。
【００２３】
同期が確立すると、制御部５は確認型情報転送動作モードの設定開始をＳＡＢＭ信号１０５により通知し、これを受けた基地局は初期設定の確認をＵＡ信号１０６により返送する。これを受けた制御部５は、呼設定メッセージ１０７を送信する。この呼設定メッセージ１０７は、基地局から網へ送信され、網が呼が正当なものであることを検出すると、呼設定受付メッセージ１０８を返送してくる。ＰＨＳ端末装置に通知情報受信指示が設定されている場合、制御部５は、定義情報要求メッセージ１０９を送信する。これを受けた網は、定義情報応答１１０により通知情報を返送する。ＲＴ（無線管理）機能要求の指示が設定されている場合、制御部５は機能要求メッセージ１１１を送信する。それを受けた網は、機能要求応答メッセージ１１２によりＲＴ機能を返送する。
【００２４】
更に、制御部５は、秘匿鍵設定メッセージ１１３により秘匿鍵を網に通知する。ＭＭ（移動管理）機能要求の指示が設定されている場合、制御部５は機能要求メッセージ１１４を送信する。これを受けた網は、機能要求応答メッセージ１１５によりＭＭ機能を返送する。次に、網は認証乱数を発生し、乱数を認証要求メッセージ１１６を通知する。制御部５はこれを受け取り、自身が有している認証鍵を用いて乱数を暗号化し、認証応答メッセージ１１７により網に送信する。この暗号を受け取った網は、ＰＨＳ端末装置と同一の認証鍵を用いて送った乱数を暗号化し、これと受信した暗号が一致するかどうかを判断する。判断の結果、不一致となると、呼切断復旧の規則に従って呼解放手順を開始する。判断の結果、一致となると、呼接続を継続する。
【００２５】
網は、確認型情報転送動作モードの解除をＤＩＳＣ信号１１８により通知する。これを受けた制御部５は、解除の確認をＵＡ信号１１９により返送する。着ユーザ呼出しが開始されたことの表示を網が受信すると、網は呼出メッセージ１２０により通知する。また、リングバックトーン１２１が送られてくるので、これは受信通話信号と同様にスピーカ４３から出力する。網は、着ユーザが応答したことを検出すると、応答メッセージ１２２を通知してくる。これにより、着ユーザ側との通話１２３が開始される。
【００２６】
一方、着呼の場合には、図３に示すように網から着呼メッセージ２０１が送られてくるので、制御部５は制御チャネルを介して基地局へリンクチャネル確立メッセージ２０２を送出する。基地局は、これを受取り、空いているリンク（通話）チャネルを検出して、当該リンクチャネルの割当メッセージ２０３を制御チャネルを介して送ってくる。これに応えて、制御部５は割当てられたリンクチャネルを使用して同期バースト２０４を送信し、同期が確立すると、逆に基地局から同期バースト２０５を送信する。
【００２７】
同期が確立すると、制御部５は確認型情報転送動作モードの設定開始をＳＡＢＭ信号２０６により通知し、これを受けた基地局は初期設定の確認をＵＡ信号２０７により返送する。これを受けた制御部５は、着呼応答メッセージ２０８を網に対して送信する。着呼応答メッセージ２０８を受信した網は、呼設定メッセージ２０９を送信してくる。これを受けた制御部５は、呼設定受付メッセージ２１０を返送する。
【００２８】
ＰＨＳ端末装置に通知情報受信指示が設定されている場合、制御部５は、定義情報要求メッセージ２１１を送信する。これを受けた網は、定義情報応答２１２により通知情報を返送する。ＲＴ（無線管理）機能要求の指示が設定されている場合、制御部５は機能要求メッセージ２１３を送信する。それを受けた網は、機能要求応答メッセージ２１４によりＲＴ機能を返送する。
【００２９】
更に、制御部５は、秘匿鍵設定メッセージ２１５により秘匿鍵を網に通知する。ＭＭ（移動管理）機能要求の指示が設定されている場合、制御部５は機能要求メッセージ２１６を送信する。これを受けた網は、機能要求応答メッセージ２１７によりＭＭ機能を返送する。次に、網は認証乱数を発生し、乱数を認証要求メッセージ２１８を通知する。制御部５はこれを受け取り、自身が有している認証鍵を用いて乱数を暗号化し、認証応答メッセージ２１９により網に送信する。この暗号を受け取った網は、ＰＨＳ端末装置と同一の認証鍵を用いて送った乱数を暗号化し、これと受信した暗号が一致するかどうかを判断する。判断の結果、不一致となると、呼切断復旧の規則に従って呼解放手順を開始する。判断の結果、一致となると、呼接続を継続する。
【００３０】
制御部５はサウンダ５４により呼出音を発生して着信を表示し、呼出中を示す呼出メッセージ２２０を網に送信する。そして、制御部５はオフフックされるのを検出し、オフフックがあると、応答メッセージ２２１を網に対して送る。応答を確認した網は応答確認メッセージ２２２を返送し、確認型情報転送動作モードの解除をＤＩＳＣ信号２２３により通知する。これを受けた制御部５は、解除の確認をＵＡ信号２２４により返送する。そして、発ユーザ側との通話２２５が開始される。
【００３１】
図２により説明した発呼の過程において、制御部５は図４に示されるフローチャートに対応したプログラムに基づき、発呼のカウントを行う。即ち、図２に示すように、ＰＨＳ端末装置と基地局との間においてＰＨＳ端末装置からの発呼によるシーケンスの処理が行われ、基地局からリングバックトーン（ＲＢＴ１２１）がＰＨＳ端末装置に対して送信されると、制御部５はＣＣ応答信号（図２の１２２）の到来を待つ（Ｓ１（呼受付検出手段））。ＣＣ応答信号が到来しなければ、オンフックとなり発呼が中止されたのかを検出し（Ｓ２）、オンフックを検出すると終話に移行し、オンフックが検出されなければステップＳ１へ戻ってＣＣ応答信号の到来を待つ。そして、ＣＣ応答信号が到来すると、発呼のカウントを行い（Ｓ３（カウント手段））、通話を行うモードへ移行する。このように、本実施の形態では、着ユーザが応答したことを網が検出したことに基づき送信してくるＣＣ応答信号により網による呼受付がなされたことを検出している。このため、相手が話中等により通話ができない場合は、発呼のカウントがなされず適切な呼数を得ることができる。
【００３２】
例えば、ＥＥＰＲＯＭ５９には、図６に示されるような、氏名と電話番号と呼数とが対にされて記憶されるテーブルが備えられている。そこで、制御部５は、発呼の際には、キー入力部５１から入力される相手側の電話番号を受け取り、ＲＡＭ５６に一時記憶し、上記のステップＳ３において、発呼を示すため、テーブルの上記ＲＡＭ５６に一時記憶した電話番号対応の呼数のエリアの値に「−１」を加える。勿論、発呼と着呼のエリアを設けて、発呼のエリアに「＋１」を加えるようにしても良い。
【００３３】
図３により説明した着呼の過程において、制御部５は図５に示されるフローチャートに対応したプログラムに基づき、着呼のカウントを行う。即ち、図３に示すように、ＰＨＳ端末装置と基地局との間においてＰＨＳ端末装置に対する着呼によるシーケンスの処理が行われ、ＰＨＳ端末装置がＣＣ応答信号２２１を基地局に対して送信すると、制御部５は応答確認信号（図３の２２２）の到来を待つ（Ｓ４（呼受付検出手段））。そして、応答確認信号が到来すると、着呼のカウントを行い（Ｓ５（カウント手段））、通話を行うモードへ移行する。このように、本実施の形態では、着ユーザがオフフックして応答メッセージが到来したことを網が検出したことに基づき返送してくるＣＣ応答確認信号により、網による呼受付がなされたことを検出している。このため、通話しなかった着呼のカウントがなされず適切な呼数を得ることができる。
【００３４】
前述の通り、ＥＥＰＲＯＭ５９には、図６に示されるような、氏名と電話番号と呼数とが対にされて記憶されるテーブルが備えられている。そこで、制御部５は、着呼の際には、呼設定メッセージ２０９に含まれる発呼側端末の電話番号を受け取り、ＲＡＭ５６に一時記憶し、上記のステップＳ５において、着呼を示すため、テーブルの上記ＲＡＭ５６に一時記憶した電話番号対応の呼数のエリアの値に「＋１」を加える。勿論、発呼と着呼のエリアを設けて、着呼のエリアに「−１」を加えるようにしても良い。
【００３５】
以上の結果、電話番号または氏名に対応して、発呼と着呼のカウント値が適切に記録されて行く。そして、このカウント値は、機能キーの操作により呼び出して表示部５２に表示させることができる。例えば、発呼と着呼のカウント値の表示を求める機能キー（特別のキーは必ずしも必要でなく、テンキーや＃キーや＊キーの組み合わせでもよい）と、表示したい電話番号を入力すると、制御部５は図６のテーブルから対応のカウント値と氏名、電話番号を読み出し、これを表示データに加工して表示部５２へ送出して表示を行う。勿論、図６のテーブルを一覧リストとして表示してもよい。
【００３６】
なお、以上では呼制御信号の中で、ＰＨＳ端末装置が応答したことを網が検出したことに応じて送信される呼制御信号（応答信号、応答確認信号）を用いたが、着呼の場合には自装置のオフフックを検出して、着呼のカウントを行うこともできる。また、音声を検出して、通話への移行を検出することもできる。
【００４２】
【発明の効果】
以上説明したように請求項１、２の電話装置によれば、発呼の場合にはカウント値を減少させ、着呼の場合にはカウント値を増加させるので、発呼回数と着呼回数の大小が明らかになる。
【図面の簡単な説明】
【図１】本発明の実施の形態に係る電話装置の構成図。
【図２】ＰＨＳ端末装置による発呼時のシーケンスを示す図。
【図３】ＰＨＳ端末装置による着呼時のシーケンスを示す図。
【図４】本発明の実施の形態に係る電話装置による発呼カウント動作を説明するためのフローチャート。
【図５】本発明の実施の形態に係る電話装置による着呼カウント動作を説明するためのフローチャート。
【図６】本発明の実施の形態に係る電話装置に備えられる発呼着呼数を登録するテーブルの一例を示す図。
【符号の説明】
１  無線部                          ２  モデム部
３  ＴＤＭＡ部                      ４  通話部
５  制御部                          ６  電源部
５１  キー入力部                    ５２  表示部
５３  計時回路                      ５４  サウンダ
５５  バイブレータユニット          ５６  ＲＡＭ
５７  プログラムＦＲＯＭ            ５８  録再ＦＲＯＭ
５９  ＥＥＰＲＯＭ
【図１】
0003808617.tif 000002
【図２】
0003808617.tif 000003
【図３】
0003808617.tif 000004
【図４】
0003808617.tif 000005
【図５】
0003808617.tif 000006
【図６】
0003808617.tif 000007